(57)【要約】  床の端を清掃しやすくする清掃補助具、及びそれを備える電気掃除機を提供する。清掃補助具６は、電気掃除機１のヘッド部１０に取り付けられた状態で使用される。ヘッド部１０の底面１０ａには、吸込口１２が設けられている。清掃補助具６は、塵埃を吸着する棒状部材２０を備えている。清掃補助具６は、棒状部材２０がヘッド部１０の左右方向に延在するとともに底面１０ａから突出するように取り付けられる。清掃補助具６がヘッド部１０に取り付けられた状態で、吸込口１２よりも棒状部材２０の方が、ヘッド部１０の先端１０ｂの近くに位置している。
2018003047.tif 000002
【特許請求の範囲】
【請求項１】
底面に吸込口が設けられたヘッド部を有する電気掃除機の前記ヘッド部に取り付けられた状態で使用される清掃補助具であって、
塵埃を吸着する第１の棒状部材を備え、
当該清掃補助具は、前記第１の棒状部材が前記ヘッド部の左右方向に延在するとともに前記底面から突出するように取り付けられ、
当該清掃補助具が前記ヘッド部に取り付けられた状態で、前記吸込口よりも前記第１の棒状部材の方が、前記ヘッド部の先端の近くに位置することを特徴とする清掃補助具。
【請求項２】
請求項１に記載の清掃補助具において、
前記第１の棒状部材の長さは、前記ヘッド部の前記左右方向の長さの１／２以上である清掃補助具。
【請求項３】
請求項２に記載の清掃補助具において、
前記第１の棒状部材の長さは、前記ヘッド部の前記左右方向の長さの４／５以上である清掃補助具。
【請求項４】
請求項１乃至３の何れかに記載の清掃補助具において、
前記第１の棒状部材における前記底面から突出する部分の上下方向の長さは、２ｍｍ以上５ｍｍ以下である清掃補助具。
【請求項５】
請求項１乃至４の何れかに記載の清掃補助具において、
当該清掃補助具は、前記第１の棒状部材が前記ヘッド部の前記先端から前に食み出るように取り付けられる清掃補助具。
【請求項６】
請求項５に記載の清掃補助具において、
前記第１の棒状部材における前記先端から食み出る部分の前後方向の長さは、３ｍｍ以上１０ｍｍ以下である清掃補助具。
【請求項７】
請求項１乃至６の何れかに記載の清掃補助具において、
前記第１の棒状部材は、丸棒状をしている清掃補助具。
【請求項８】
請求項１乃至７の何れかに記載の清掃補助具において、
前記第１の棒状部材の表面は、柔軟性を有する清掃補助具。
【請求項９】
請求項１乃至８の何れかに記載の清掃補助具において、
前記第１の棒状部材の表面は、吸水性を有する清掃補助具。
【請求項１０】
請求項１乃至９の何れかに記載の清掃補助具において、
前記第１の棒状部材は、棒状の芯部と、前記芯部に巻き付けられ、前記塵埃を吸着するシート材とを有する清掃補助具。
【請求項１１】
請求項１０に記載の清掃補助具において、
前記芯部は、剛性を有する清掃補助具。
【請求項１２】
請求項１０又は１１に記載の清掃補助具において、
前記芯部に巻き付けられる前記シート材は、交換可能である清掃補助具。
【請求項１３】
請求項１０乃至１２の何れかに記載の清掃補助具において、
前記シート材は、不織布からなる清掃補助具。
【請求項１４】
請求項１乃至１３の何れかに記載の清掃補助具において、
当該清掃補助具は、前記ヘッド部に対して着脱可能である清掃補助具。
【請求項１５】
請求項１乃至１４の何れかに記載の清掃補助具において、
前記第１の棒状部材を前記ヘッド部に貼着するための粘着テープを備える清掃補助具。
【請求項１６】
請求項１乃至１５の何れかに記載の清掃補助具において、
前記第１の棒状部材は、当該清掃補助具が前記ヘッド部に取り付けられた状態のまま、前記底面から突出する位置から、前記底面から突出しない位置に変位可能である清掃補助具。
【請求項１７】
請求項１乃至１６の何れかに記載の清掃補助具において、
長さが相異なる複数の前記第１の棒状部材を備える清掃補助具。
【請求項１８】
請求項１乃至１７の何れかに記載の清掃補助具において、
太さが相異なる複数の前記第１の棒状部材を備える清掃補助具。
【請求項１９】
請求項１乃至１８の何れかに記載の清掃補助具において、
表面の柔らかさが相異なる複数の前記第１の棒状部材を備える清掃補助具。
【請求項２０】
請求項１乃至１９の何れかに記載の清掃補助具において、
塵埃を吸着する第２の棒状部材を備え、
当該清掃補助具は、前記第２の棒状部材が前記ヘッド部の前記左右方向に延在するとともに前記底面から突出するように取り付けられ、
当該清掃補助具が前記ヘッド部に取り付けられた状態で、前記吸込口よりも前記第２の棒状部材の方が、前記ヘッド部の後端の近くに位置する清掃補助具。
【請求項２１】
請求項１乃至２０の何れかに記載の清掃補助具が取り付けられた前記ヘッド部を備える電気掃除機。
【請求項２２】
請求項２１に記載の電気掃除機において、
前記ヘッド部の前記底面側には、前記第１の棒状部材の少なくとも一部が収容される凹部が設けられている電気掃除機。
【発明の詳細な説明】
【技術分野】
【０００１】
本発明は、電気掃除機のヘッド部に取り付けられた状態で使用される清掃補助具、及びそれを備える電気掃除機に関する。
【背景技術】
【０００２】
従来の電気掃除機としては、例えば特許文献１に記載されたものがある。同文献に記載された電気掃除機は、底面が横長の形状をしたヘッド部（吸込ノズル）を備えている。ヘッド部の底面には、左右方向に延在する吸込口が形成されている。吸込口は、ヘッド部の先端から離間した位置に設けられている。この電気掃除機によれば、ヘッド部を床面に沿って動かしながら吸込口から塵埃を吸引させることにより、床面の広範囲を清掃することができる。
【先行技術文献】
【特許文献】
【０００３】
【特許文献１】特開２００５−１１０９６６号公報
【発明の概要】
【発明が解決しようとする課題】
【０００４】
しかしながら、上述の電気掃除機においては、吸込口がヘッド部の先端から離れているため、吸込口がどうしても床の端までは届かない。そのため、床の端においては、塵埃を吸引しきれない等、清掃が不充分になりがちである。このように、従来の電気掃除機には、床の端を清掃しにくいという問題があった。【０００５】
本発明は、上記課題に鑑みてなされたものであり、床の端を清掃しやすくする清掃補助具、及びそれを備える電気掃除機を提供することを目的とする。
【課題を解決するための手段】
【０００６】
本発明による清掃補助具は、底面に吸込口が設けられたヘッド部を有する電気掃除機の上記ヘッド部に取り付けられた状態で使用される清掃補助具であって、塵埃を吸着する第１の棒状部材を備え、当該清掃補助具は、上記第１の棒状部材が上記ヘッド部の左右方向に延在するとともに上記底面から突出するように取り付けられ、当該清掃補助具が上記ヘッド部に取り付けられた状態で、上記吸込口よりも上記第１の棒状部材の方が、上記ヘッド部の先端の近くに位置することを特徴とする。【０００７】
この清掃補助具は、塵埃を吸着する第１の棒状部材を備えている。清掃補助具がヘッド部に取り付けられた状態において、第１の棒状部材は、ヘッド部の底面から突出する。このとき、吸込口よりも第１の棒状部材の方が、ヘッド部の先端の近くに位置する。かかる清掃補助具をヘッド部に取り付けることにより、吸込口が届かない領域においても、塵埃を第１の棒状部材によって吸着することができる。これにより、床の端であっても清掃しやすくなる。
【発明の効果】
【０００８】
本発明によれば、床の端を清掃しやすくする清掃補助具、及びそれを備える電気掃除機が実現される。
【図面の簡単な説明】
【０００９】
【図１】本発明による電気掃除機の一実施形態を示す底面図である。
【図２】ヘッド部１０の一部を示す断面図である。
【図３】棒状部材２０を示す正面図である。
【図４】芯部２２を示す正面図である。
【図５】図４の芯部２２において突起２３が押し込まれた状態を示す正面図である。
【図６】図１のVI−VI線に沿った断面図である。
【図７】溝１７の構造を説明するための図である。
【図８】本発明の第１の変形例を説明するための図である。
【図９】本発明の第１の変形例を説明するための図である。
【図１０】本発明の第１の変形例を説明するための図である。
【図１１】本発明の第２の変形例を説明するための図である。
【図１２】本発明の第２の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による電気掃除機の一実施形態を示す底面図である。電気掃除機１は、本体部（図示せず）、及びヘッド部１０を備えている。本体部は、塵埃等のゴミを吸引するための吸気を生成する部分である。図１は、ヘッド部１０の底面１０ａ（清掃時に床面に対向する面）を示している。同図からわかるように、ヘッド部１０は、底面視で横長の形状をしている。ヘッド部１０の底面１０ａには、吸込口１２が設けられている。吸込口１２も、底面視で横長の形状をしている。吸込口１２は、ヘッド部１０の先端１０ｂから離間した位置に設けられている。先端１０ｂは、底面視でヘッド部１０の最も前方（図１における上方）に位置する部分である。吸込口１２内には、ヘッド部１０の左右方向（図１の左右方向に等しい。）に平行な回転軸を有する回転ブラシが設けられていてもよい。
【００１２】
ヘッド部１０の後端側には、コネクタ１４が設けられている。ヘッド部１０は、コネクタ１４によって本体部に連結されている。ヘッド部１０は、本体部に対して、直接に連結されてもよいし、ホース等を介して連結されてもよい。吸込口１２は、本体部の内部と連通している。電気掃除機１は、本体部が生成した吸気により、ヘッド部１０の吸込口１２からゴミを吸引する。
【００１３】
ヘッド部１０には、清掃補助具６が取り付けられている。清掃補助具６は、ヘッド部１０に対して着脱可能である。ここで、着脱可能とは、清掃補助具６及びヘッド部１０を損傷することなく、ヘッド部１０に対する清掃補助具６の取付け及び取外しを容易に行えるということである。清掃補助具６は、ヘッド部１０に取り付けられた状態で使用される。
【００１４】
清掃補助具６は、塵埃を吸着する棒状部材２０（第１の棒状部材）を備えている。棒状部材２０は、ヘッド部１０の左右方向に延在している。棒状部材２０の長さは、ヘッド部１０の左右方向の長さｄ１の１／２以上であることが好ましく、４／５以上であることがより好ましい。清掃補助具６がヘッド部１０に取り付けられた状態で、吸込口１２よりも棒状部材２０の方が、ヘッド部１０の先端１０ｂの近くに位置している。すなわち、底面視で、先端１０ｂから棒状部材２０までの距離は、先端１０ｂから吸込口１２までの距離ｄ２よりも短い。
【００１５】
図２は、ヘッド部１０の一部を示す断面図である。同図は、図１のII−II線に沿った断面に相当する。ヘッド部１０の底面１０ａ側には、凹部１６が設けられている。凹部１６には、棒状部材２０の少なくとも一部が収容される。棒状部材２０は、底面１０ａから突出している。すなわち、側面視で、棒状部材２０の下端は、ヘッド部１０の下端よりも下に位置する。それゆえ、棒状部材２０は、清掃時に床面に接することになる。
【００１６】
ヘッド部１０の下端は、清掃補助具６が取り付けられていない状態で、清掃時に床面に接し、床面からのヘッド部１０の高さを規定する部分である。例えば底面１０ａに車輪が設けられている場合であれば、車輪の下端がヘッド部１０の下端に該当する。なお、回転ブラシのように床面に接したときに変形する部分は、床面からのヘッド部１０の高さを規定するものではないので、ヘッド部１０の下端を構成しない。棒状部材２０における底面１０ａから突出する部分の上下方向（図２の上下方向に等しい。）の長さｄ３は、２ｍｍ以上５ｍｍ以下であることが好ましい。
【００１７】
本実施形態において棒状部材２０は、ヘッド部１０の先端１０ｂから前に食み出ている。すなわち、棒状部材２０の前端（図２における右端）は、ヘッド部１０の先端１０ｂよりも前に位置する。棒状部材２０における先端１０ｂから前に食み出る部分の前後方向（図２の左右方向）の長さｄ４は、３ｍｍ以上１０ｍｍ以下であることが好ましい。
【００１８】
図３は、棒状部材２０を示す正面図である。棒状部材２０は、丸棒状をしている。棒状部材２０の表面は、柔軟性及び吸水性を有することが好ましい。棒状部材２０は、棒状の芯部２２、及びシート材２４を有している。
【００１９】
図４は、芯部２２を示す正面図である。芯部２２は、略円柱状をしている。芯部２２は、清掃時に床面から力を受けても変形しない程度の剛性を有している。芯部２２の材料としては、例えば、プラスチック、金属、木、ゴム等を用いることができる。芯部２２の両端には、突起２３が設けられている。突起２３は、図５に示すように、外から力を加えることにより、芯部２２内に押し込むことが可能である。芯部２２には、バネが内蔵されている。突起２３は、外から力を受けていないときは、バネの復元力により元の位置（図４参照）に戻るように構成されている。
【００２０】
図３に戻って、シート材２４は、芯部２２に巻き付けられており、棒状部材２０の表面を構成している。シート材２４は、塵埃を吸着する。芯部２２に巻き付けられるシート材２４は、交換可能であることが好ましい。すなわち、棒状部材２０は、芯部２２から使用済みのシート材２４を取り外して、同一の芯部２２に新しいシート材２４を取り付けられるように構成されていることが好ましい。シート材２４としては、例えば、不織布、織布又は紙からなるものを用いることができる。シート材２４は、ドライタイプであってもよいし、ウェットタイプであってもよい。
【００２１】
図６は、図１のVI−VI線に沿った断面図である。図６からわかるように、凹部１６の両側面には、溝１７が形成されている。溝１７は、図７に示すように、正面から見ると円形をしている。同図は、凹部１６の側面を示している。溝１７に棒状部材２０の突起２３を嵌合させることにより、清掃補助具６をヘッド部１０に取り付けることができる。詳細には、突起２３を押し込みながら凹部１６に棒状部材２０を入れて、突起２３が溝１７に嵌合するように位置合わせをすることにより、清掃補助具６の取付けを行うことができる。また、突起２３を押し込みながら突起２３と溝１７との嵌合を解いて、凹部１６から棒状部材２０を出すことにより、清掃補助具６の取外しを行うことができる。
【００２２】
なお、清掃補助具６がヘッド部１０に取り付けられた状態で、棒状部材２０は、芯部２２の中心軸周りに回転可能に構成されていてもよいし、回転不能に構成されていてもよい。前者の場合、棒状部材２０は、ヘッド部１０が床面に沿って前後に移動する際、それに連動して回転することになる。
【００２３】
本実施形態の効果を説明する。清掃補助具６は、塵埃を吸着する棒状部材２０を備えている。清掃補助具６がヘッド部１０に取り付けられた状態において、棒状部材２０は、ヘッド部１０の底面１０ａから突出する。このとき、吸込口１２よりも棒状部材２０の方が、ヘッド部１０の先端１０ｂの近くに位置する。かかる清掃補助具６をヘッド部１０に取り付けることにより、吸込口１２が届かない領域においても、塵埃を棒状部材２０によって吸着することができる。これにより、床の端であっても清掃しやすくなる。したがって、床の端を清掃しやすくする清掃補助具６、及びそれを備える電気掃除機１が実現されている。
【００２４】
かかる清掃補助具６によれば、窓の下にある桟も清掃しやすくなる。また、棒状部材２０は、塵埃を吸着するだけでなく、塵埃を含む床上のゴミを掻き集めることもできる。このため、清掃補助具６をヘッド部１０に取り付けることにより、電気掃除機１をかけながら、掃き掃除と同等の効果も得られるようになる。
【００２５】
棒状部材２０の長さが大きい方が、広範囲に散らばった塵埃を同時に処理するのに有利である。かかる観点から、棒状部材２０の長さは、ヘッド部１０の左右方向の長さｄ１（図１参照）の１／２以上であることが好ましく、４／５以上であることがより好ましい。
【００２６】
棒状部材２０における底面１０ａから突出する部分の上下方向の長さｄ３（図２参照）が大きい方が、棒状部材２０を床面に確実に密着させるのに有利である。他方、長さｄ３が大きすぎると、床面から吸込口１２までの距離が長くなり、ゴミに対する吸引力が不充分となりかねない。かかる観点から、長さｄ３は、２ｍｍ以上５ｍｍ以下であることが好ましい。
【００２７】
清掃補助具６は、棒状部材２０がヘッド部１０の先端１０ｂから前に食み出るように取り付けられている。これにより、床の最端部（床面と壁面との境界部）まで棒状部材２０を届かせやすくなる。また、かかる構成の場合、ヘッド部１０が正面から壁面に衝突する際、棒状部材２０が最初に壁面に当たることになる。したがって、棒状部材２０のクッション効果により、ヘッド部１０や壁面が損傷するのを防ぐことができる。
【００２８】
棒状部材２０における先端１０ｂから食み出る部分の前後方向の長さｄ４（図２参照）が大きい方が、棒状部材２０のクッション効果を高めるのに有利である。他方、長さｄ４が大きすぎると、ヘッド部１０から床の端までの水平距離が長くなるため、当該端においてヘッド部１０を通じて棒状部材２０に加わる下向きの力（床面を押す力）が弱くなってしまう。かかる観点から、長さｄ４は、３ｍｍ以上１０ｍｍ以下であることが好ましい。
【００２９】
棒状部材２０は、丸棒状をしている。これにより、棒状部材２０と床面との間に働く摩擦力を適度な強さにすることができる。また、棒状部材２０が芯部２２の中心軸周りに回転可能に構成されている場合であれば、清掃時に棒状部材２０を滑らかに回転させることができる。
【００３０】
棒状部材２０の表面が柔軟性を有する場合、棒状部材２０の床面に対する密着性を高めるとともに、棒状部材２０のクッション効果を高めることができる。また、棒状部材２０の表面が吸水性を有する場合、塵埃を吸着するだけでなく、床上の液体を拭き取ることもできる。
【００３１】
棒状部材２０は、芯部２２及びシート材２４を有している。この場合、棒状部材２０をヘッド部１０に固定するための固定機能は芯部２２に担わせ、吸着機能はシート材２４に担わせるというように、機能を分担させることができる。これにより、芯部２２及びシート材２４の材料、構造等をそれぞれの機能に適したものとすることができる。
【００３２】
芯部２２は、剛性を有している。このため、清掃時に棒状部材２０が不必要に変形するのを防ぐことができる。
【００３３】
芯部２２に巻き付けられるシート材２４が交換可能である場合、シート材２４を交換しつつ芯部２２を繰り返し利用することができるため、経済的である。
【００３４】
清掃補助具６は、ヘッド部１０に対して着脱可能である。この場合、電気掃除機１は、清掃補助具６が取り付けられた状態、及び清掃補助具６が取り外された状態の２通りの使い方が可能となるため、使用者にとっての利便性が高まる。例えば、フローリングを清掃するときは清掃補助具６が取り付けられた状態で電気掃除機１を使用し、絨毯を清掃するときは清掃補助具６が取り外された状態で電気掃除機１を使用することが考えられる。
【００３５】
ヘッド部１０の底面１０ａ側には、棒状部材２０の少なくとも一部が収容される凹部１６が設けられている。これにより、ヘッド部１０は、清掃補助具６を取り付けるのに適した構造となっている。
【００３６】
本発明は、上記実施形態に限定されるものではなく、様々な変形が可能である。上記実施形態において、棒状部材２０は、清掃補助具６がヘッド部１０に取り付けられた状態のまま変位可能であってもよい。かかる構成は、例えば図８に示すように、凹部１６の両側面に、上述の溝１７に加えて溝１８及び溝１９を形成することにより実現することができる。同図は、図６と同様の断面を示している。溝１８は、溝１７と同一の形状及び深さを有している。溝１８は、溝１７よりも高い位置に形成されている。溝１９は、溝１７から溝１８まで延在している。溝１９の深さは、溝１７及び溝１８の深さよりも小さい。これらの溝１７，１８，１９は、図９に示すように、正面から見ると、全体として上下方向に細長い形状をしている。
【００３７】
溝１８に棒状部材２０の突起２３を嵌合させることにより、図１０に示すように、底面１０ａから突出しない位置に棒状部材２０を固定することができる。同図は、図２と同様の断面を示している。突起２３を軽く押し込みながら、溝１９に沿って溝１７から溝１８まで棒状部材２０を動かすことにより、底面１０ａから突出する位置（図２参照）から、底面１０ａから突出しない位置（図１０参照）に棒状部材２０を変位させることができる。同様にして、底面１０ａから突出しない位置から、底面１０ａから突出する位置に棒状部材２０を変位させることもできる。
【００３８】
このように棒状部材２０が上下動する場合、清掃補助具６がヘッド部１０に取り付けられたままでも、電気掃除機１は、棒状部材２０が底面１０ａから突出した状態（棒状部材２０が床面に触れる状態）、及び棒状部材２０が底面１０ａから突出していない状態（棒状部材２０が床面に触れない状態）の２通りの使い方が可能となる。
【００３９】
上記実施形態においては、棒状部材２０がヘッド部１０の先端１０ｂから前に食み出る場合を例示した。しかし、棒状部材２０は、先端１０ｂから前に食み出ていなくてもよい。すなわち、底面視で、棒状部材２０の全体が、吸込口１２と先端１０ｂとの間の領域に収まっていてもよい。
【００４０】
上記実施形態においては、棒状部材２０の芯部２２が剛性を有する場合を例示した。しかし、芯部２２は、可撓性を有していてもよい。その場合、芯部２２を撓らせながら棒状部材２０を凹部１６に出し入れすることにより、清掃補助具６の取付け及び取外しが一層容易になる。
【００４１】
上記実施形態においては、棒状部材２０が芯部２２及びシート材２４を有する場合を例示した。しかし、棒状部材２０に芯部２２を設けることは必須でなく、棒状部材２０は、シート材２４のみからなっていてもよい。その場合、シート材２４を棒状に丸めることにより、棒状部材２０を構成することができる。
【００４２】
上記実施形態においては、棒状部材２０が丸棒状をしている場合、すなわち棒状部材２０の断面形状が円形である場合を例示した。しかし、棒状部材２０の断面形状は、楕円形であってもよいし、多角形であってもよい。
【００４３】
上記実施形態において、清掃補助具６は、棒状部材２０をヘッド部１０に貼着するための粘着テープを備えていてもよい。その場合、清掃補助具６を取り付けるための特別な構造（例えば上述の凹部１６）を有しない電気掃除機のヘッド部に対しても、清掃補助具６を容易に取り付けることができる。
【００４４】
上記実施形態において、清掃補助具６は、長さが相異なる複数の棒状部材２０を備えていてもよい。また、清掃補助具６は、太さが相異なる複数の棒状部材２０を備えていてもよい。さらに、清掃補助具６は、表面の柔らかさが相異なる複数の棒状部材２０を備えていてもよい。それらの場合、清掃補助具６が取り付けられるヘッド部の構造、清掃の目的等に応じて、最適な棒状部材２０を選択することが可能となる。
【００４５】
上記実施形態において、清掃補助具６は、図１１及び図１２に示すように、棒状部材２０に加えて棒状部材３０（第２の棒状部材）を備えていてもよい。図１２は、図１１のXII−XII線に沿った断面の一部を示している。清掃補助具６は、棒状部材３０がヘッド部１０の左右方向に延在するとともに、底面１０ａから突出するように取り付けられる。清掃補助具６がヘッド部１０に取り付けられた状態で、吸込口１２よりも棒状部材３０の方が、ヘッド部１０の後端の近くに位置する。ヘッド部１０の底面１０ａ側には、凹部１６に加えて凹部１５が設けられている。凹部１５には、棒状部材３０の少なくとも一部が収容される。棒状部材３０のその他の構成は、棒状部材２０と同様である。かかる棒状部材３０が設けられた清掃補助具６をヘッド部１０に取り付けることにより、ヘッド部１０を前方に動かしながら清掃する際、吸込口１２から吸引しきれなかった塵埃を棒状部材３０によって吸着することができる。
【符号の説明】
【００４６】
１  電気掃除機
６  清掃補助具
１０  ヘッド部
１０ａ  底面
１０ｂ  先端
１２  吸込口
１４  コネクタ
１５  凹部
１６  凹部
１７  溝
１８  溝
１９  溝
２０  棒状部材（第１の棒状部材）
２２  芯部
２３  突起
２４  シート材
３０  棒状部材（第２の棒状部材）
【図１】
2018003047.tif 000003
【図２】
2018003047.tif 000004
【図３】
2018003047.tif 000005
【図４】
2018003047.tif 000006
【図５】
2018003047.tif 000007
【図６】
2018003047.tif 000008
【図７】
2018003047.tif 000009
【図８】
2018003047.tif 000010
【図９】
2018003047.tif 000011
【図１０】
2018003047.tif 000012
【図１１】
2018003047.tif 000013
【図１２】
2018003047.tif 000014
【手続補正書】
【提出日】平成29年8月23日(2017.8.23)
【手続補正１】
【補正対象書類名】特許請求の範囲
【補正対象項目名】請求項１
【補正方法】変更
【補正の内容】
【請求項１】
底面に吸込口が設けられたヘッド部を有する電気掃除機の前記ヘッド部に取り付けられた状態で使用される清掃補助具であって、
塵埃を吸着する第１の棒状部材を備え、
当該清掃補助具は、前記第１の棒状部材が前記ヘッド部の左右方向に延在するとともに前記底面から突出するように取り付けられ、
当該清掃補助具が前記ヘッド部に取り付けられた状態で、前記吸込口よりも前記第１の棒状部材の方が、前記ヘッド部の先端の近くに位置するとともに、前記第１の棒状部材は、回転不能であることを特徴とする清掃補助具。
【国際調査報告】
2018003047.tif 000015
2018003047.tif 000016
2018003047.tif 000017
2018003047.tif 000018